(57)【要約】【課題】低温から高温までの幅広い温度領域において高い光学性能を維持することが可能な撮像レンズおよび撮像装置を提供する。【解決手段】この撮像レンズは、物体側から順に、負の屈折力を有する第１レンズＧ11と、正の屈折力を有する第２レンズＧ12と、負の屈折力を有する第３レンズＧ13と、正の屈折力を有する第４レンズＧ14と、正の屈折力を有する第５レンズＧ15と、が配置されて構成される。第１レンズＧ11は、両凹レンズで構成されている。第３レンズＧ13は、物体側に凹面を向けて配置されている。第４レンズＧ14は、像面ＩＭＧ側に凸面を向けて配置されている。そして、所定の条件を満足することにより、周辺温度が著しく変化した場合でも、高い光学性能を確保することができる。【選択図】図１
2017116796.tif 000002
【特許請求の範囲】
【請求項１】
物体側から順に配置された、物体側に凹面を向けた負の屈折力を有する第１レンズと、正の屈折力を有する第２レンズと、物体側に凹面を向けた負の屈折力を有する第３レンズと、像側に凸面を向けた正の屈折力を有する第４レンズと、正の屈折力を有する第５レンズと、からなり、
以下に示す条件式を満足することを特徴とする撮像レンズ。
（１）  ０≦（ＤＮＤＴ１）／（ＤＮＤＴ２）≦２．５
（２）  −１．５≦ｆ２／ｆ１≦−０．１
（３）  −１．５≦ｆ／ｆ１≦−０．１
ただし、ＤＮＤＴ１は前記第１レンズを形成する硝材の温度変化１℃当たりのｄ線屈折率変化の平均値、ＤＮＤＴ２は前記第２レンズを形成する硝材の温度変化１℃当たりのｄ線屈折率変化の平均値、ｆ１は前記第１の焦点距離、ｆ２は第２レンズの焦点距離、ｆは前記撮像レンズ全系の焦点距離を示す。
【請求項２】
以下に示す条件式を満足することを特徴とする請求項１に記載の撮像レンズ。
（４）  −１．５≦（ＤＮＤＴ３）／ｆ３≦−０．０１
（５）  −１．５≦（ＤＮＤＴ５）／ｆ５≦−０．０１
（６）  ０．１≦（ｆ３×ＤＮＤＴ５）／（ｆ５×ＤＮＤＴ３）≦３
ただし、ＤＮＤＴ３は前記第３レンズを形成する硝材の温度変化１℃当たりのｄ線屈折率変化の平均値、ＤＮＤＴ５は前記第５レンズを形成する硝材の温度変化１℃当たりのｄ線屈折率変化の平均値、ｆ３は前記第３レンズの焦点距離、ｆ５は前記第５レンズの焦点距離を示す。
【請求項３】
前記第５レンズの少なくとも１面に非球面が形成され、かつ、
以下に示す条件式を満足することを特徴とする請求項１または２に記載の撮像レンズ。
（７）  ０．５≦ｆ５／ｆ４≦３．０
ただし、ｆ４は前記第４レンズの焦点距離、ｆ５は前記第５レンズの焦点距離を示す。
【請求項４】
前記第４レンズの少なくとも１面に非球面が形成され、かつ、
以下に示す条件式を満足することを特徴とする請求項１〜３のいずれか一つに記載の撮像レンズ。
（８）  ０．１≦｜Ｒ４２Ｂ／Ｒ４１Ｂ｜≦１．０
ただし、Ｒ４１Ｂは前記第４レンズの物体側面のベストフィット曲率半径、Ｒ４２Ｂは前記第４レンズの像側面のベストフィット曲率半径を示す。
【請求項５】
前記第２レンズの少なくとも１面に非球面が形成されていることを特徴とする請求項１〜４のいずれか一つに記載の撮像レンズ。
【請求項６】
前記第１レンズは両凹形状であることを特徴とする請求項１〜５のいずれか一つに記載の撮像レンズ。
【請求項７】
以下に示す条件式を満足することを特徴とする請求項１〜６に記載の撮像レンズ。
（９）  ０．０１≦Ｒ３２／Ｒ４１≦５
（１０）  ０．０１≦Ｄ３４／Ｄ３≦２
ただし、Ｒ３２は前記第３レンズの像側面の曲率半径、Ｒ４１は前記第４レンズの物体側面の曲率半径、Ｄ３４は前記第３レンズと前記第４レンズとの間の空気間隔、Ｄ３は前記第３レンズの中心肉厚を示す。
【請求項８】
請求項１〜７のいずれか一つに記載の撮像レンズと、該撮像レンズによって形成された光学像を電気的信号に変換する固体撮像素子と、を備えたことを特徴とする撮像装置。
【発明の詳細な説明】
【技術分野】
【０００１】
本発明は、低温時や高温時でも良好な光学性能を確保することが可能な撮像レンズ、およびそれを備えた撮像装置に関する。
【背景技術】
【０００２】
近年、車両への搭載が可能な撮像装置（車載カメラ）が普及してきている。特に、車載カメラとして、高ダイナミックレンジカメラを用い、撮影した画像中の車、白線、交通標識などを認識するセンシング技術や、前方や後方を走る車両間の距離を測定するためのステレオビジョン技術を取り入れているものもある。 この場合、道路のレーン幅を撮影することも必要になるため、車載カメラに搭載される撮像レンズの撮像画角としては４０〜７０度程度の水平両画角が必要とされる。
【０００３】
また、車載カメラは、特に夏季に高温になるおそれのある車内に設置される。そこで、車載カメラに搭載される撮像レンズには、低温から高温までの幅広い温度領域においてピント位置のずれが小さい高い光学性能が要求される。
【０００４】
さらに、車載カメラは、夜間使用されることも多いため、認識した人や物を正確に把握できるように、明るい撮像レンズを搭載する必要がある。このため、暗い場面であっても被写体からより多くの光を取り入れることができるように撮像レンズの口径が大きくなる傾向がある。
【０００５】
しかしながら、車載カメラは搭載されるスペースが限られることが多いことなどから小型であることが要求され、それらに搭載される撮像レンズもより小型であることが求められる。たとえば、車載カメラがフロントガラスとバックミラーとの間に設置される場合、カメラユニットの大型化は視界の阻害、意匠の低下の原因になるため、カメラユニットの小型化の要求が強い。これに伴い、車載カメラに搭載される撮像レンズも、より小型であることが求められる。
【０００６】
そこで、かかる要求に応えるべく、車載カメラに搭載可能な撮像レンズが提案されている（たとえば、特許文献１を参照。）。
【０００７】
特許文献１には、物体側から順に配置された、物体側に凹面を向けた負の屈折力を有する第１レンズと、正の屈折力を有する第２レンズと、正の屈折力を有する第３レンズと、負の屈折力を有する第４レンズと、像側に凸面を向けた正の屈折力を有する第５レンズと、を備え、第１レンズと第２レンズとの間に開口絞りを配置し、第３レンズと第４レンズとを接合した撮像レンズが開示されている。
【先行技術文献】
【特許文献】
【０００８】
【特許文献１】特開２０１０−１４５８２８号公報
【発明の概要】
【発明が解決しようとする課題】
【０００９】
特許文献１に開示された撮像レンズは、車載カメラに搭載可能ではあるが、比較的狭い温度範囲での使用を想定したものと考えられる。すなわち、特許文献１に開示された撮像レンズは、色収差補正のために接合レンズを用いているが、一般的に接合レンズに使用される接着剤は温度が８０℃程度を越えると緩みはじめる。さらに、接合レンズを形成する各レンズの線膨張係数の違いから高温時には接合が剥がれ、十分な光学性能を確保できなくなるおそれがある。
【００１０】
近年は、車載カメラも気候条件等が大きく異なる広域での使用が求められるため、車載カメラに搭載される撮像レンズにも幅広い温度範囲での使用に耐えられることが要求される。具体的には、使用環境温度が−４０〜１３５℃程度の幅広い温度領域において高い光学性能を確保できる撮像レンズが求められている。
【００１１】
本発明は、上述した従来技術による問題点を解消するため、低温から高温までの幅広い温度領域において良好な光学性能を確保することが可能な、小型で明るい撮像レンズを提供することを目的とする。さらに、低温から高温までの幅広い温度領域において良好な光学性能を確保することができる撮像装置を提供することを目的とする。
【課題を解決するための手段】
【００１２】
上述した課題を解決し、目的を達成するため、本発明にかかる撮像レンズは、物体側から順に配置された、物体側に凹面を向けた負の屈折力を有する第１レンズと、正の屈折力を有する第２レンズと、物体側に凹面を向けた負の屈折力を有する第３レンズと、像側に凸面を向けた正の屈折力を有する第４レンズと、正の屈折力を有する第５レンズと、からなり、以下に示す条件式を満足することを特徴とする。
（１）  ０≦（ＤＮＤＴ１）／（ＤＮＤＴ２）≦２．５
（２）  −１．５≦ｆ２／ｆ１≦−０．１
（３）  −１．５≦ｆ／ｆ１≦−０．１
ただし、ＤＮＤＴ１は前記第１レンズを形成する硝材の温度変化１℃当たりのｄ線屈折率変化の平均値、ＤＮＤＴ２は前記第２レンズを形成する硝材の温度変化１℃当たりのｄ線屈折率変化の平均値、ｆ１は前記第１レンズの焦点距離、ｆ２は第２レンズの焦点距離、ｆは前記撮像レンズ全系の焦点距離を示す。
【００１３】
本発明によれば、低温から高温までの幅広い温度領域において良好な光学性能を確保することが可能な、小型で明るい撮像レンズを提供することができる。
【００１４】
さらに、本発明にかかる撮像レンズは、前記発明において、以下に示す条件式を満足することを特徴とする。
（４）  −１．５≦（ＤＮＤＴ３）／ｆ３≦−０．０１
（５）  −１．５≦（ＤＮＤＴ５）／ｆ５≦−０．０１
（６）  ０．１≦（ｆ３×ＤＮＤＴ５）／（ｆ５×ＤＮＤＴ３）≦３
ただし、ＤＮＤＴ３は前記第３レンズを形成する硝材の温度変化１℃当たりのｄ線屈折率変化の平均値、ＤＮＤＴ５は前記第５レンズを形成する硝材の温度変化１℃当たりのｄ線屈折率変化の平均値、ｆ３は前記第３レンズの焦点距離、ｆ５は前記第５レンズの焦点距離を示す。
【００１５】
本発明によれば、低温から高温までの幅広い温度領域において、より良好な光学性能を確保することが可能になる。
【００１６】
さらに、本発明にかかる撮像レンズは、前記発明において、前記第５レンズの少なくとも１面に非球面が形成され、かつ、以下に示す条件式を満足することを特徴とする。
（７）  ０．５≦ｆ５／ｆ４≦３．０
ただし、ｆ４は前記第４レンズの焦点距離、ｆ５は前記第５レンズの焦点距離を示す。
【００１７】
本発明によれば、撮像レンズの温度変化時のピント位置のずれがより適切に抑制されるとともに、球面収差、コマ収差、像面湾曲を効率的に抑制することができる。
【００１８】
さらに、本発明にかかる撮像レンズは、前記発明において、前記第４レンズの少なくとも１面に非球面が形成され、かつ、以下に示す条件式を満足することを特徴とする。
（８）  ０．１≦｜Ｒ４２Ｂ／Ｒ４１Ｂ｜≦１．０
ただし、Ｒ４１Ｂは前記第４レンズの物体側面のベストフィット曲率半径、Ｒ４２Ｂは前記第４レンズの像側面のベストフィット曲率半径を示す。
【００１９】
本発明によれば、硝材選択幅が少ない非球面ガラスを第４レンズに採用しても、温度変化に伴うピント位置のずれを抑制することができるとともに、球面収差、コマ収差、像面湾曲の発生を極限まで抑えることが可能になる。
【００２０】
さらに、本発明にかかる撮像レンズは、前記発明において、前記第２レンズの少なくとも１面に非球面が形成されていることを特徴とする。
【００２１】
本発明によれば、球面収差、コマ収差、像面湾曲を効率的に抑制することができる。また、第２レンズよりも像側に配置されているレンズへ入射する光線角度を緩やかにして周辺像高の光線高さを低くすることが可能になり、第２レンズよりも像側に配置されているレンズ（後群）の外径を小さくすることができる。
【００２２】
さらに、本発明にかかる撮像レンズは、前記発明において、前記第１レンズが両凹形状であることを特徴とする。
【００２３】
本発明によれば、第１レンズの負の屈折力を強くすることで、第１レンズよりも像側に配置されたレンズへ入射する周辺像高の光線高さを低くして、撮像レンズの外径を小さくすることができる。
【００２４】
さらに、本発明にかかる撮像レンズは、前記発明において、以下に示す条件式を満足することを特徴とする。
（９）  ０．０１≦Ｒ３２／Ｒ４１≦５
（１０）  ０．０１≦Ｄ３４／Ｄ３≦２
ただし、Ｒ３２は前記第３レンズの像側面の曲率半径、Ｒ４１は前記第４レンズの物体側面の曲率半径、Ｄ３４は前記第３レンズと前記第４レンズとの間の空気間隔、Ｄ３は前記第３レンズの中心肉厚を示す。
【００２５】
本発明によれば、撮像レンズの温度変化時のピント位置のずれがより適切に抑制されるとともに、色収差の発生を極限まで抑え、迷光によるゴーストの発生を抑制することができる。
【００２６】
また、本発明にかかる撮像装置は、前記撮像レンズと、該撮像レンズによって形成された光学像を電気的信号に変換する固体撮像素子と、を備えたことを特徴とする。
【００２７】
本発明によれば、低温から高温までの幅広い温度領域において良好な光学性能を確保することができる撮像装置を提供することができる。
【発明の効果】
【００２８】
本発明によれば、低温から高温までの幅広い温度領域において良好な光学性能を確保することが可能な、小型で明るい撮像レンズを提供することができるという効果を奏する。さらに、低温から高温までの幅広い温度領域において良好な光学性能を確保することが可能な撮像装置を提供することができるという効果を奏する。
【図面の簡単な説明】
【００２９】
【図１】実施例１にかかる撮像レンズの構成を示す光軸に沿う断面図である。
【図２】実施例１にかかる撮像レンズの諸収差図である。
【図３】実施例１にかかる撮像レンズを備えた撮像装置の一適用例を示す図である。
【図４】実施例２にかかる撮像レンズの構成を示す光軸に沿う断面図である。
【図５】実施例２にかかる撮像レンズの諸収差図である。
【図６】実施例２にかかる撮像レンズを備えた撮像装置の一適用例を示す図である。
【図７】実施例３にかかる撮像レンズの構成を示す光軸に沿う断面図である。
【図８】実施例３にかかる撮像レンズの諸収差図である。
【図９】実施例３にかかる撮像レンズを備えた撮像装置の一適用例を示す図である。
【図１０】実施例４にかかる撮像レンズの構成を示す光軸に沿う断面図である。
【図１１】実施例４にかかる撮像レンズの諸収差図である。
【図１２】実施例４にかかる撮像レンズを備えた撮像装置の一適用例を示す図である。
【図１３】実施例５にかかる撮像レンズの構成を示す光軸に沿う断面図である。
【図１４】実施例５にかかる撮像レンズの諸収差図である。
【図１５】実施例５にかかる撮像レンズを備えた撮像装置の一適用例を示す図である。
【発明を実施するための形態】
【００３０】
以下、本発明にかかる撮像レンズおよび撮像装置の好適な実施の形態を詳細に説明する。
【００３１】
本発明にかかる撮像レンズは、物体側から順に配置された、物体側に凹面を向けた負の屈折力を有する第１レンズと、正の屈折力を有する第２レンズと、物体側に凹面を向けた負の屈折力を有する第３レンズと、像側に凸面を向けた正の屈折力を有する第４レンズと、正の屈折力を有する第５レンズと、からなっている（基本構成）。
【００３２】
本発明にかかる撮像レンズにおいて、物体側に凹面を向けた負の屈折力を有する第１レンズにより、撮像レンズ全体の外径を小さくすることができる。正の屈折力を有する第２レンズにより、第２レンズへの入射光束を収斂させることができ、第２レンズよりも像側に配置されるレンズの外径を縮小することができる。また、撮像レンズの全長を短くすることができる。物体側に凹面を向けた負の屈折力を有する第３レンズと像側に凸面を向けた正の屈折力を有する第４レンズにより、色収差を良好に補正することができる。正の屈折力を有する第５レンズにより、像面湾曲を良好に補正することができる。
【００３３】
本発明は、低温から高温までの幅広い温度領域において良好な光学性能を確保することが可能な、小型で明るい撮像レンズを提供することを目的としている。そこで、かかる目的を達成するため、本発明にかかる撮像レンズは、上記基本構成を前提として、以下に示す特徴を備えている。
【００３４】
まず、本発明にかかる撮像レンズでは、第１レンズを形成する硝材の温度変化１℃当たりのｄ線屈折率変化の平均値をＤＮＤＴ１、第２レンズを形成する硝材の温度変化１℃当たりのｄ線屈折率変化の平均値をＤＮＤＴ２、第１レンズの焦点距離をｆ１、第２レンズの焦点距離をｆ２、撮像レンズ全系の焦点距離をｆとするとき、次の条件式を満足することが好ましい。
（１）  ０≦（ＤＮＤＴ１）／（ＤＮＤＴ２）≦２．５
（２）  −１．５≦ｆ２／ｆ１≦−０．１
（３）  −１．５≦ｆ／ｆ１≦−０．１
【００３５】
条件式（１）は、「第２レンズを形成する硝材の温度変化１℃当たりのｄ線屈折率変化の平均値」に対する「第１レンズを形成する硝材の温度変化１℃当たりのｄ線屈折率変化の平均値」の比を規定する式である。条件式（２）は、「第１レンズの焦点距離」に対する「第２レンズの焦点距離」の比を規定する式である。条件式（３）は、「第１レンズの焦点距離」に対する「撮像レンズ全系の焦点距離」の比を規定する式である。
【００３６】
本発明にかかる撮像レンズは、小径にするため、前玉を強い負の屈折力を有する第１レンズと強い正の屈折力を有する第２レンズで構成している。このため、前玉が温度変化による影響を強く受けやすい。周辺温度が変化すると、レンズが膨張、収縮してレンズの屈折率変化が生じるおそれがある。レンズの屈折率変化が生じると、ピント位置がずれて光学性能の劣化を招きやすい。そこで、条件式（１）〜（３）を満足することで、第１レンズと第２レンズの温度変化時の屈折率変化を適切に制御して、ピント位置のずれを極力抑制することができる。また、撮像レンズの外径を小さくするとともに、明るいレンズを実現することができる。
【００３７】
条件式（１）および条件式（２）において規定された範囲から外れると、第１レンズおよび第２レンズの温度変化による屈折率変化量が過多になり、第１レンズおよび第２レンズの温度変化時のピント位置変動を第１レンズの負パワーと第２レンズの正パワーとにより相殺することが困難になり、低温環境下や高温環境下での撮像レンズのピント位置がずれて、良好な光学性能が得られなくなる。また、条件式（３）において規定された範囲から外れると、第１レンズの撮像レンズ全系に対する負パワーが弱くなりすぎる、または強くなりすぎて、撮像レンズの外径が大きくなるため、好ましくない。
【００３８】
なお、上記条件式（１）は、次に示す範囲を満足すると、より好ましい効果が期待できる。
（１ａ）  ０．５≦（ＤＮＤＴ１）／（ＤＮＤＴ２）≦１．７
【００３９】
上記条件式（２）は、次に示す範囲を満足すると、より好ましい効果が期待できる。
（２ａ）  −１．１≦ｆ２／ｆ１≦−０．９
【００４０】
上記条件式（３）は、次に示す範囲を満足すると、より好ましい効果が期待できる。
（３ａ）  −１．２≦ｆ／ｆ１≦−０．７
【００４１】
さらに、本発明にかかる撮像レンズでは、第３レンズを形成する硝材の温度変化１℃当たりのｄ線屈折率変化の平均値をＤＮＤＴ３、第５レンズを形成する硝材の温度変化１℃当たりのｄ線屈折率変化の平均値をＤＮＤＴ５、第３レンズの焦点距離をｆ３、第５レンズの焦点距離ｆ５とするとき、次の条件式を満足することが好ましい。
（４）  −１．５≦（ＤＮＤＴ３）／ｆ３≦−０．０１
（５）  −１．５≦（ＤＮＤＴ５）／ｆ５≦−０．０１
（６）  ０．１≦（ｆ３×ＤＮＤＴ５）／（ｆ５×ＤＮＤＴ３）≦３
【００４２】
条件式（４）は、「第３レンズの焦点距離」に対する「第３レンズを形成する硝材の温度変化１℃当たりのｄ線屈折率変化の平均値」の比を規定する式である。条件式（５）は、「第５レンズの焦点距離」に対する「第５レンズを形成する硝材の温度変化１℃当たりのｄ線屈折率変化の平均値」の比を規定する式である。条件式（６）は、「第５レンズの焦点距離と第３レンズを形成する硝材の温度変化１℃当たりのｄ線屈折率変化の平均値との積」に対する「第３レンズの焦点距離と第５レンズを形成する硝材の温度変化１℃当たりのｄ線屈折率変化の平均値との積」の比を規定する式である。
【００４３】
条件式（４）〜（６）を満足することで、第３レンズと第５レンズの温度変化時の屈折率変化を適切に制御して、撮像レンズのピント位置のずれをより適切に抑制することができる。
【００４４】
条件式（４）において規定された範囲から外れると、第３レンズの温度変化による屈折率変化が過多になり、第３レンズの温度変化時のピント位置変動が大きくなって、結果として撮像レンズのピント位置がずれてしまう。条件式（５）において規定された範囲から外れると、第５レンズの温度変化による屈折率変化が過多になり、第５レンズの温度変化時のピント位置変動が大きくなって、結果として撮像レンズのピント位置がずれてしまう。条件式（６）において規定された範囲から外れると、第３レンズと第５レンズの温度変化時のピント位置変動を第３レンズの負のパワーと第５レンズの正のパワーとにより相殺することが困難になり、低温環境下や高温環境下での撮像レンズのピント位置がずれてしまう。
【００４５】
なお、上記条件式（４）は、次に示す範囲を満足すると、より好ましい効果が期待できる。
（４ａ）  −０．５≦（ＤＮＤＴ３）／ｆ３≦−０．２
【００４６】
上記条件式（５）は、次に示す範囲を満足すると、より好ましい効果が期待できる。
（５ａ）  −１．５≦（ＤＮＤＴ５）／ｆ５≦−０．５
【００４７】
上記条件式（６）は、次に示す範囲を満足すると、より好ましい効果が期待できる。
（６ａ）  ０．３≦（ｆ３×ＤＮＤＴ５）／（ｆ５×ＤＮＤＴ３）≦２．５
【００４８】
さらに、本発明にかかる撮像レンズでは、第５レンズの少なくとも１面に非球面が形成されていることが好ましく、かつ、第４レンズの焦点距離をｆ４、第５レンズの焦点距離をｆ５とするとき、次の条件式を満足することが好ましい。
（７）  ０．５≦ｆ５／ｆ４≦３．０
【００４９】
条件式（７）は、「第４レンズの焦点距離」に対する「第５レンズの焦点距離」の比を規定する式である。条件式（７）を満足することで、撮像レンズの温度変化時のピント位置のずれをより適切に抑制することができるとともに、球面収差、コマ収差、像面湾曲の発生を最小限に抑えることができる。
【００５０】
条件式（７）においてその下限を下回ると、第４レンズの正のパワーが弱くなりすぎて、球面収差の発生が顕著になる。また、第５レンズへの入射光線高さも高くなりすぎて大きく光軸方向へ入射光線を曲げる必要が生じ、像面湾曲、コマ収差が発生する原因になる。また、隣り合う第４レンズと第５レンズの正パワーが大きく異なってしまうため、第４レンズと第５レンズの温度変化による屈折率変化が過多になり、第４レンズと第５レンズの温度変化時のピント位置変動が大きくなって、撮像レンズのピント位置がずれてしまう。
【００５１】
一方、条件式（７）においてその上限を超えると、第４レンズの正のパワーが強くなりすぎて、球面収差の発生が顕著になる。また、隣り合う第４レンズと第５レンズの正のパワーが大きく異なってしまうため、第４レンズと第５レンズの温度変化による屈折率変化が過多になり、第４レンズと第５レンズの温度変化時のピント位置変動が大きくなって、撮像レンズのピント位置がずれてしまう。
【００５２】
なお、上記条件式（７）は、次に示す範囲を満足すると、より好ましい効果が期待できる。
（７ａ）  １．０≦ｆ５／ｆ４≦１．５
【００５３】
さらに、本発明にかかる撮像レンズでは、第４レンズの少なくとも１面に非球面が形成されていることが好ましく、かつ、第４レンズの物体側面のベストフィット曲率半径をＲ４１Ｂ、第４レンズの像側面のベストフィット曲率半径をＲ４２Ｂとするとき、次の条件式を満足することが好ましい。
（８）  ０．１≦｜Ｒ４２Ｂ／Ｒ４１Ｂ｜≦１．０
【００５４】
条件式（８）は、「第４レンズ物体側面のベストフィット曲率半径」に対する「第４レンズの像側面のベストフィット曲率半径」の比を規定する式である。条件式（８）を満足することにより、硝材選択幅が少ない非球面ガラスを第４レンズに採用しても、撮像レンズの温度変化に伴うピント位置のずれを抑制することができるとともに、球面収差、コマ収差、像面湾曲の発生を極限まで抑制することが可能になる。
【００５５】
条件式（８）においてその下限を下回ると、第４レンズの正のパワーが弱くなりすぎて、球面収差の発生が顕著になる。また、第５レンズへの入射光線高さも高くなりすぎて大きく光軸方向へ入射光線を曲げる必要が生じ、像面湾曲、コマ収差が発生する原因になる。また、隣り合う第４レンズと第５レンズの正のパワーが大きく異なってしまうため、第４レンズと第５レンズの温度変化による屈折率変化が過多になり、第４レンズと第５レンズの温度変化時のピント位置変動が大きくなって、撮像レンズのピント位置がずれてしまう。
【００５６】
一方、条件式（８）においてその上限を超えると、第４レンズの正のパワーが強くなりすぎて、球面収差の発生が顕著になる。また、隣り合う第４レンズと第５レンズの正パワーが大きく異なってしまうため、第４レンズと第５レンズの温度変化による屈折率変化が過多になり、第４レンズと第５レンズの温度変化時のピント位置変動が大きくなって、撮像レンズのピント位置がずれてしまう。
【００５７】
なお、上記条件式（８）は、次に示す範囲を満足すると、より好ましい効果が期待できる。
（８ａ）  ０．１≦｜Ｒ４２Ｂ／Ｒ４１Ｂ｜≦０．２
【００５８】
さらに、本発明にかかる撮像レンズでは、第２レンズの少なくとも１面に非球面を形成するとよい。このようにすることで、球面収差、コマ収差、像面湾曲を効率的に抑制することができる。また、第２レンズよりも像側に配置されているレンズへ入射する光線角度を緩やかにして周辺像高の光線高さを低くすることが可能になり、第２レンズよりも像側に配置されているレンズ（後群）の外径を小さくすることができる。
【００５９】
さらに、本発明にかかる撮像レンズでは、第１レンズが両凹形状であることが好ましい。このようにすることにより、第１レンズの負の屈折力を強くすることができ、第１レンズよりも像側に配置されたレンズへ入射する周辺像高の光線高さを低くして、撮像レンズの外径をさらに小さくすることが可能になる。
【００６０】
さらに、本発明にかかる撮像レンズは、第３レンズの像側面の曲率半径をＲ３２、第４レンズ物体側面の曲率半径をＲ４１、第３レンズと第４レンズとの間の空気間隔をＤ３４、第３レンズの中心肉厚をＤ３とするとき、次の条件式を満足することが好ましい。
（９）  ０．０１≦Ｒ３２／Ｒ４１≦５
（１０）  ０．０１≦Ｄ３４／Ｄ３≦２
【００６１】
条件式（９）は、「第４レンズ物体側面の曲率半径」に対する「第３レンズの像側面の曲率半径」の比を規定する式である。条件式（１０）は、「第３レンズの中心肉厚」に対する「第３レンズと第４レンズとの間の空気間隔」の比を規定する式である。条件式（９），（１０）を満足することにより、撮像レンズの温度変化時のピント位置のずれがより適切に抑制されるとともに、色収差の発生を極限まで抑え、迷光によるゴーストの発生を抑制することができる。
【００６２】
条件式（９）および条件式（１０）において規定された範囲から外れると、第３レンズと第４レンズの温度変化時のピント位置変動が大きくなって、撮像レンズのピント位置がずれてしまう上に、第３レンズの像側面と第４レンズの物体側面との間の相互反射による迷光が発生し、良好な光学性能を確保することが困難になる。また、第３レンズにより発生した色収差と第４レンズにより発生した色収差との相殺効果が得られ難くなり、良好な光学性能を確保することが難しくなる。
【００６３】
なお、上記条件式（９）は、次に示す範囲を満足すると、より好ましい効果が期待できる。
（９ａ）  ０．８≦Ｒ３２／Ｒ４１≦２．１
【００６４】
上記条件式（１０）は、次に示す範囲を満足すると、より好ましい効果が期待できる。
（１０ａ）  ０．０５≦Ｄ３４／Ｄ３≦０．２
【００６５】
以上説明したように、本発明にかかる撮像レンズは、上記構成を備え、上記条件式を満足することにより、各レンズの温度による相対屈折率変化を適切に制御して、低温から高温までの幅広い温度領域において良好な光学性能を確保することが可能な、小型で明るいレンズになる。
【００６６】
本発明にかかる撮像レンズは、接合レンズを用いていないため、周辺温度が高温になっても、接合レンズの弱点である接合が剥がれ、十分な光学性能を維持できなくなるといった不都合はない。したがって、上記条件式を満足しさえすれば、使用環境温度が−４０〜１３５℃程度の幅広い温度領域においても、高い光学性能を確保することが可能になる。
【００６７】
以上のような特徴を備えた本発明の撮像レンズは、車載用カメラに限らず、気温の変化が大きい屋外に設置されること多い監視用カメラ、防犯カメラなどにも十分適用できる。
【００６８】
さらに、本発明は、低温から高温までの幅広い温度領域において良好な光学性能を確保することができる撮像装置を提供することも目的としている。この目的を達成するためには、上記構成を備えた撮像レンズと、この撮像レンズによって形成された光学像を電気的信号に変換する固体撮像素子と、を備えて撮像装置を構成すればよい。このようにすることで、特に周辺温度の変化が著しい条件下でも使用可能な撮像装置を実現することができる。
【００６９】
以下、本発明にかかる撮像レンズおよび撮像装置の実施例を図面に基づき詳細に説明する。なお、以下の実施例により本発明が限定されるものではない。
【実施例１】
【００７０】
図１は、実施例１にかかる撮像レンズの構成を示す光軸に沿う断面図である。この撮像レンズは、図示しない物体側から順に、負の屈折力を有する第１レンズＧ11と、正の屈折力を有する第２レンズＧ12と、負の屈折力を有する第３レンズＧ13と、正の屈折力を有する第４レンズＧ14と、正の屈折力を有する第５レンズＧ15と、が配置されて構成される。
【００７１】
第１レンズＧ11は、両凹レンズで構成されている。第３レンズＧ13は、物体側に凹面を向けて配置されている。第４レンズＧ14は、像面ＩＭＧ側に凸面を向けて配置されている。第３レンズＧ13と第４レンズＧ14とは、空気間隔を隔てて配置されている。第５レンズＧ15の両面には、非球面が形成されている。
【００７２】
以下、実施例１にかかる撮像レンズに関する各種数値データを示す。
【００７３】
（面データ）
ｒ1＝-7.71
ｄ1＝0.60    ｎｄ1＝1.620    νｄ1＝60.3    dndt1＝2.5
ｒ2＝10.06
ｄ2＝0.29
ｒ3＝20.24
ｄ3＝4.29    ｎｄ2＝1.881    νｄ2＝40.1    dndt2＝4.4
ｒ4＝-8.87
ｄ4＝3.84
ｒ5＝-3.75
ｄ5＝0.78    ｎｄ3＝1.922    νｄ3＝20.9    dndt3＝1.1
ｒ6＝-80.73
ｄ6＝0.07
ｒ7＝-38.79
ｄ7＝1.64    ｎｄ4＝1.904    νｄ4＝31.3    dndt4＝3.6
ｒ8＝-5.10
ｄ8＝0.07
ｒ9＝7.34（非球面）
ｄ9＝2.54    ｎｄ5＝1.497    νｄ5＝81.6    dndt5＝-5.6
ｒ10＝-9.79（非球面）
ｄ10＝7.93
ｒ11＝∞（像面）
【００７４】
円錐係数（ε）および非球面係数（Ａ，Ｂ，Ｃ，Ｄ，Ｅ，Ｆ，Ｇ，Ｉ，Ｊ，Ｋ，Ｌ，Ｍ）
（第９面）
ε＝1.351，
Ａ＝0，Ｂ＝-2.530×10-3，Ｃ＝3.690×10-3，Ｄ＝-3.350×10-3，Ｅ＝1.670×10-3，
Ｆ＝-4.800×10-4，Ｇ＝6.470×10-5，Ｉ＝-1.920×10-7，Ｊ＝-5.750×10-7，
Ｋ＝-4.670×10-9，Ｌ＝2.290×10-9，Ｍ＝2.950×10-9
（第１０面）
ε＝3.614，
Ａ＝0，Ｂ＝-1.210×10-3，Ｃ＝2.860×10-3，Ｄ＝-1.760×10-3，Ｅ＝9.190×10-4，
Ｆ＝-2.400×10-4，Ｇ＝2.300×10-5，Ｉ＝1.250×10-6，Ｊ＝-3.670×10-7，
Ｋ＝5.660×10-8，Ｌ＝1.320×10-8，Ｍ＝-6.430×10-10
【００７５】
（各種データ）
撮像レンズ全系の焦点距離（ｆ）    5.8369
Ｆナンバー                             1.4
像高                              3.0
第１レンズＧ11の焦点距離（ｆ１） -6.924
第２レンズＧ12の焦点距離（ｆ２）  7.482
第３レンズＧ13の焦点距離（ｆ３） -4.243
第４レンズＧ14の焦点距離（ｆ４）  6.303
第５レンズＧ15の焦点距離（ｆ５）  8.851
高温時温度                        135℃
低温時温度                        -40℃
【００７６】
（条件式（１）に関する数値）
ＤＮＤＴ１（第１レンズＧ11を形成する硝材の温度変化１℃当たりのｄ線屈折率変化の平均値）＝2.5
ＤＮＤＴ２（第２レンズＧ12を形成する硝材の温度変化１℃当たりのｄ線屈折率変化の平均値）＝4.4
（ＤＮＤＴ１）／（ＤＮＤＴ２）＝0.568
【００７７】
（条件式（２）に関する数値）
ｆ２／ｆ１＝-1.081
【００７８】
（条件式（３）に関する数値）
ｆ／ｆ１＝-0.843
【００７９】
（条件式（４）に関する数値）
ＤＮＤＴ３（第３レンズＧ13を形成する硝材の温度変化１℃当たりのｄ線屈折率変化の平均値）＝1.1
（ＤＮＤＴ３）／ｆ３＝-0.259
【００８０】
（条件式（５）に関する数値）
ＤＮＤＴ５（第５レンズＧ15を形成する硝材の温度変化１℃当たりのｄ線屈折率変化の平均値）＝-5.6
（ＤＮＤＴ５）／ｆ５＝-0.633
【００８１】
（条件式（６）に関する数値）
（ｆ３×ＤＮＤＴ５）／（ｆ５×ＤＮＤＴ３）＝2.440
【００８２】
（条件式（７）に関する数値）
ｆ５／ｆ４＝1.404
【００８３】
（条件式（９）に関する数値）
Ｒ３２（第３レンズＧ13の像面ＩＭＧ側面の曲率半径）＝-80.73
Ｒ４１（第４レンズＧ14の物体側面の曲率半径）＝-38.79
Ｒ３２／Ｒ４１＝2.081
【００８４】
（条件式（１０）に関する数値）
Ｄ３４（第３レンズＧ13と第４レンズＧ14との間の空気間隔）＝0.07
Ｄ３（第３レンズＧ13の中心肉厚）＝0.78
Ｄ３４／Ｄ３＝0.090
【００８５】
撮像レンズを収容するレンズ鏡筒の線膨張係数を一般的なアルミニウムと同じ２３×１０-6とする場合、実施例１の撮像レンズにおける常温時（２０℃）からのピント位置変動は、低温時（−４０℃）が１ｕｍ、高温時（１３５℃）が０ｕｍである。このことから、実施例１の撮像レンズにおいて、温度変化時のピント位置のずれは最小限に抑えられていることがわかる。
【００８６】
図２は、実施例１にかかる撮像レンズの諸収差図である。球面収差図において、縦軸はＦナンバー（図中、Ｆｎｏで示す）を表し、各線は４５０ｎｍ、５５０ｎｍ、６５０ｎｍに相当する波長の特性を示している。倍率色収差図において、縦軸は像高（図中、Ｙで示す）を表し、各線は４５０ｎｍ、５５０ｎｍ、６５０ｎｍに相当する波長の特性を示している。
【００８７】
次に、実施例１にかかる撮像レンズを撮像装置に適用した例を示す。図３は、実施例１にかかる撮像レンズを備えた撮像装置の一適用例を示す図である。図３に示すように、撮像装置１００は、撮像レンズ１０と、固体撮像素子１０１と、を備えて構成される。撮像レンズ１０は、図１に示したものである。
【００８８】
撮像レンズ１０と固体撮像素子１０１とを備えた撮像装置１００において、図１に示した像面ＩＭＧが固体撮像素子１０１の撮像面１０２に相当する。固体撮像素子１０１としては、たとえば、ＣＣＤ（Ｃｈａｒｇｅ Ｃｏｕｐｌｅｄ Ｄｅｖｉｃｅ）やＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）センサなどの光電変換素子を用いることができる。
【００８９】
撮像装置１００において、撮像レンズ１０の物体側から入射した光が最終的に固体撮像素子１０１の撮像面１０２に結像する。そして、固体撮像素子１０１が受像した光を光電変換して電気信号として出力する。この出力信号が図示しない信号処理回路によって演算処理され、白線認識等の所望のセンシング処理を施されたり、被写体の像に対応したデジタル画像が生成される。デジタル画像は、たとえばＨＤＤ（Ｈａｒｄ Ｄｉｓｋ Ｄｅｖｉｃｅ）やメモリカード、光ディスク、磁気テープなどの記録媒体に記録することが可能である。
【実施例２】
【００９０】
図４は、実施例２にかかる撮像レンズの構成を示す光軸に沿う断面図である。この撮像レンズは、図示しない物体側から順に、負の屈折力を有する第１レンズＧ21と、正の屈折力を有する第２レンズＧ22と、負の屈折力を有する第３レンズＧ23と、正の屈折力を有する第４レンズＧ24と、正の屈折力を有する第５レンズＧ25と、が配置されて構成される。
【００９１】
第１レンズＧ21は、両凹レンズで構成されている。第３レンズＧ23は、物体側に凹面を向けて配置されている。第４レンズＧ24は、像面ＩＭＧ側に凸面を向けて配置されている。第３レンズＧ23と第４レンズＧ24とは、空気間隔を隔てて配置されている。第５レンズＧ25の両面には、非球面が形成されている。
【００９２】
以下、実施例２にかかる撮像レンズに関する各種数値データを示す。
【００９３】
（面データ）
ｒ1＝-10.95
ｄ1＝0.59    ｎｄ1＝1.569    νｄ1＝56.0    dndt1＝7.1
ｒ2＝13.99
ｄ2＝0.91
ｒ3＝100.00
ｄ3＝5.42    ｎｄ2＝2.000    νｄ2＝25.5    dndt2＝3.1
ｒ4＝-14.14
ｄ4＝4.01
ｒ5＝-3.88
ｄ5＝0.53    ｎｄ3＝1.922    νｄ3＝20.9    dndt3＝1.1
ｒ6＝-195.62
ｄ6＝0.10
ｒ7＝-48.90
ｄ7＝1.69    ｎｄ4＝1.904    νｄ4＝31.3    dndt4＝3.6
ｒ8＝-5.21
ｄ8＝0.07
ｒ9＝7.22（非球面）
ｄ9＝2.68    ｎｄ5＝1.497    νｄ5＝81.6    dndt5＝-5.6
ｒ10＝-9.00（非球面）
ｄ10＝8.58
ｒ11＝∞（像面）
【００９４】
円錐係数（ε）および非球面係数（Ａ，Ｂ，Ｃ，Ｄ，Ｅ，Ｆ，Ｇ，Ｉ，Ｊ，Ｋ，Ｌ，Ｍ）
（第９面）
ε＝1.347，
Ａ＝0，Ｂ＝-2.711×10-3，Ｃ＝3.628×10-3，Ｄ＝-3.330×10-3，Ｅ＝1.673×10-3，
Ｆ＝-4.797×10-4，Ｇ＝6.447×10-5，Ｉ＝5.199×10-9，Ｊ＝-5.884×10-7，
Ｋ＝-7.913×10-9，Ｌ＝-3.376×10-9，Ｍ＝3.396×10-9
（第１０面）
ε＝3.341，
Ａ＝0，Ｂ＝-1.350×10-3，Ｃ＝2.940×10-3，Ｄ＝-1.740×10-3，Ｅ＝9.240×10-4，
Ｆ＝-2.380×10-4，Ｇ＝2.340×10-5，Ｉ＝1.300×10-6，Ｊ＝-3.780×10-7，
Ｋ＝5.200×10-8，Ｌ＝1.180×10-8，Ｍ＝-9.070×10-10
【００９５】
（各種データ）
撮像レンズ全系の焦点距離（ｆ）     5.70403
Ｆナンバー                              1.4
像高                               3.0
第１レンズＧ21の焦点距離（ｆ１） -10.666
第２レンズＧ22の焦点距離（ｆ２）  12.579
第３レンズＧ23の焦点距離（ｆ３）  -4.254
第４レンズＧ24の焦点距離（ｆ４）   6.291
第５レンズＧ25の焦点距離（ｆ５）   8.503
高温時温度                         135℃
低温時温度                         -40℃
【００９６】
（条件式（１）に関する数値）
ＤＮＤＴ１（第１レンズＧ21を形成する硝材の温度変化１℃当たりのｄ線屈折率変化の平均値）＝7.1
ＤＮＤＴ２（第２レンズＧ22を形成する硝材の温度変化１℃当たりのｄ線屈折率変化の平均値）＝3.1
（ＤＮＤＴ１）／（ＤＮＤＴ２）＝2.274
【００９７】
（条件式（２）に関する数値）
ｆ２／ｆ１＝-1.179
【００９８】
（条件式（３）に関する数値）
ｆ／ｆ１＝-0.535
【００９９】
（条件式（４）に関する数値）
ＤＮＤＴ３（第３レンズＧ23を形成する硝材の温度変化１℃当たりのｄ線屈折率変化の平均値）＝1.1
（ＤＮＤＴ３）／ｆ３＝-0.247
【０１００】
（条件式（５）に関する数値）
ＤＮＤＴ５（第５レンズＧ25を形成する硝材の温度変化１℃当たりのｄ線屈折率変化の平均値）＝-5.6
（ＤＮＤＴ５）／ｆ５＝-0.659
【０１０１】
（条件式（６）に関する数値）
（ｆ３×ＤＮＤＴ５）／（ｆ５×ＤＮＤＴ３）＝2.668
【０１０２】
（条件式（７）に関する数値）
ｆ５／ｆ４＝1.352
【０１０３】
（条件式（９）に関する数値）
Ｒ３２（第３レンズＧ23の像面ＩＭＧ側面の曲率半径）＝-195.62
Ｒ４１（第４レンズＧ24の物体側面の曲率半径）＝-48.90
Ｒ３２／Ｒ４１＝4.000
【０１０４】
（条件式（１０）に関する数値）
Ｄ３４（第３レンズＧ23と第４レンズＧ24との間の空気間隔）＝0.10
Ｄ３（第３レンズＧ23の中心肉厚）＝0.53
Ｄ３４／Ｄ３＝0.189
【０１０５】
撮像レンズを収容するレンズ鏡筒の線膨張係数を一般的なアルミニウムと同じ２３×１０-6とする場合、実施例２の撮像レンズにおける常温時（２０℃）からのピント位置変動は、低温時（−４０℃）が３μｍ、高温時（１３５℃）が９μｍである。このことから、実施例２の撮像レンズは、条件式（１）の値が上限に近い場合であっても、温度変化時のピント位置のずれを実使用上問題がない程度に抑制できていることがわかる。
【０１０６】
図５は、実施例２にかかる撮像レンズの諸収差図である。球面収差図において、縦軸はＦナンバー（図中、Ｆｎｏで示す）を表し、各線は４５０ｎｍ、５５０ｎｍ、６５０ｎｍに相当する波長の特性を示している。倍率色収差図において、縦軸は像高（図中、Ｙで示す）を表し、各線は４５０ｎｍ、５５０ｎｍ、６５０ｎｍに相当する波長の特性を示している。
【０１０７】
次に、実施例２にかかる撮像レンズを撮像装置に適用した例を示す。図６は、実施例２にかかる撮像レンズを備えた撮像装置の一適用例を示す図である。図６に示すように、撮像装置２００は、撮像レンズ２０と、固体撮像素子１０１と、を備えて構成される。撮像レンズ２０は、図４に示したものである。
【０１０８】
撮像レンズ２０と固体撮像素子１０１とを備えた撮像装置２００において、図４に示した像面ＩＭＧが固体撮像素子１０１の撮像面１０２に相当する。固体撮像素子１０１としては、たとえば、ＣＣＤ（Ｃｈａｒｇｅ Ｃｏｕｐｌｅｄ Ｄｅｖｉｃｅ）やＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）センサなどの光電変換素子を用いることができる。
【０１０９】
撮像装置２００において、撮像レンズ２０の物体側から入射した光が最終的に固体撮像素子１０１の撮像面１０２に結像する。そして、固体撮像素子１０１が受像した光を光電変換して電気信号として出力する。この出力信号が図示しない信号処理回路によって演算処理され、白線認識等の所望のセンシング処理を施されたり、被写体の像に対応したデジタル画像が生成される。デジタル画像は、たとえばＨＤＤ（Ｈａｒｄ Ｄｉｓｋ Ｄｅｖｉｃｅ）やメモリカード、光ディスク、磁気テープなどの記録媒体に記録することが可能である。
【実施例３】
【０１１０】
図７は、実施例３にかかる撮像レンズの構成を示す光軸に沿う断面図である。この撮像レンズは、図示しない物体側から順に、負の屈折力を有する第１レンズＧ31と、正の屈折力を有する第２レンズＧ32と、負の屈折力を有する第３レンズＧ33と、正の屈折力を有する第４レンズＧ34と、正の屈折力を有する第５レンズＧ35と、が配置されて構成される。
【０１１１】
第１レンズＧ31は、両凹レンズで構成されている。第３レンズＧ33は、物体側に凹面を向けて配置されている。第４レンズＧ34は、像面ＩＭＧ側に凸面を向けて配置されている。第３レンズＧ33と第４レンズＧ34とは、空気間隔を隔てて配置されている。第５レンズＧ35の両面には、非球面が形成されている。
【０１１２】
以下、実施例３にかかる撮像レンズに関する各種数値データを示す。
【０１１３】
（面データ）
ｒ1＝-8.67
ｄ1＝0.60    ｎｄ1＝1.620    νｄ1＝60.3    dndt1＝2.5
ｒ2＝7.31
ｄ2＝2.00
ｒ3＝12.00
ｄ3＝0.76    ｎｄ2＝1.881    νｄ2＝40.1    dndt2＝4.4
ｒ4＝-10.67
ｄ4＝3.71
ｒ5＝-3.97
ｄ5＝1.90    ｎｄ3＝2.000    νｄ3＝19.3    dndt3＝6.7
ｒ6＝-14.37
ｄ6＝0.10
ｒ7＝-23.40
ｄ7＝1.47    ｎｄ4＝1.773    νｄ4＝49.6    dndt4＝5.0
ｒ8＝-5.67
ｄ8＝0.08
ｒ9＝7.35（非球面）
ｄ9＝1.89    ｎｄ5＝1.497    νｄ5＝81.6    dndt5＝-5.6
ｒ10＝-11.89（非球面）
ｄ10＝7.50
ｒ11＝∞（像面）
【０１１４】
円錐係数（ε）および非球面係数（Ａ，Ｂ，Ｃ，Ｄ，Ｅ，Ｆ，Ｇ，Ｉ，Ｊ，Ｋ，Ｌ，Ｍ）
（第９面）
ε＝0.838，
Ａ＝0，Ｂ＝-2.140×10-3，Ｃ＝3.510×10-3，Ｄ＝-3.380×10-3，Ｅ＝1.670×10-3，
Ｆ＝-4.800×10-4，Ｇ＝6.460×10-5，Ｉ＝-2.600×10-7，Ｊ＝-5.960×10-7，
Ｋ＝-1.420×10-8，Ｌ＝-4.900×10-9，Ｍ＝-3.440×10-9
（第１０面）
ε＝3.799，
Ａ＝0，Ｂ＝-9.590×10-4，Ｃ＝2.770×10-3，Ｄ＝-1.830×10-3，Ｅ＝9.010×10-4，
Ｆ＝-2.420×10-4，Ｇ＝2.340×10-5，Ｉ＝1.450×10-6，Ｊ＝-3.760×10-7，
Ｋ＝2.400×10-8，Ｌ＝-2.780×10-9，Ｍ＝-4.730×10-9
【０１１５】
（各種データ）
撮像レンズ全系の焦点距離（ｆ）    5.31
Ｆナンバー                             1.4
像高                              3.0
第１レンズＧ31の焦点距離（ｆ１） -6.280
第２レンズＧ32の焦点距離（ｆ２）  6.480
第３レンズＧ33の焦点距離（ｆ３） -5.950
第４レンズＧ34の焦点距離（ｆ４）  9.300
第５レンズＧ35の焦点距離（ｆ５）  9.420
高温時温度                        135℃
低温時温度                        -40℃
【０１１６】
（条件式（１）に関する数値）
ＤＮＤＴ１（第１レンズＧ31を形成する硝材の温度変化１℃当たりのｄ線屈折率変化の平均値）＝2.5
ＤＮＤＴ２（第２レンズＧ32を形成する硝材の温度変化１℃当たりのｄ線屈折率変化の平均値）＝4.4
（ＤＮＤＴ１）／（ＤＮＤＴ２）＝0.563
【０１１７】
（条件式（２）に関する数値）
ｆ２／ｆ１＝-1.032
【０１１８】
（条件式（３）に関する数値）
ｆ／ｆ１＝-0.846
【０１１９】
（条件式（４）に関する数値）
ＤＮＤＴ３（第３レンズＧ33を形成する硝材の温度変化１℃当たりのｄ線屈折率変化の平均値）＝6.7
（ＤＮＤＴ３）／ｆ３＝-1.118
【０１２０】
（条件式（５）に関する数値）
ＤＮＤＴ５（第５レンズＧ35を形成する硝材の温度変化１℃当たりのｄ線屈折率変化の平均値）＝-5.6
（ＤＮＤＴ５）／ｆ５＝-0.594
【０１２１】
（条件式（６）に関する数値）
（ｆ３×ＤＮＤＴ５）／（ｆ５×ＤＮＤＴ３）＝0.528
【０１２２】
（条件式（７）に関する数値）
ｆ５／ｆ４＝1.013
【０１２３】
（条件式（９）に関する数値）
Ｒ３２（第３レンズＧ33の像面ＩＭＧ側面の曲率半径）＝-14.37
Ｒ４１（第４レンズＧ34の物体側面の曲率半径）＝-23.40
Ｒ３２／Ｒ４１＝0.614
【０１２４】
（条件式（１０）に関する数値）
Ｄ３４（第３レンズＧ33と第４レンズＧ34との間の空気間隔）＝0.10
Ｄ３（第３レンズＧ33の中心肉厚）＝1.90
Ｄ３４／Ｄ３＝0.052
【０１２５】
撮像レンズを収容するレンズ鏡筒の線膨張係数を一般的なアルミニウムと同じ２３×１０-6とする場合、実施例３の撮像レンズにおける常温時（２０℃）からのピント位置変動は、低温時（−４０℃）が４．５μｍ、高温時（１３５℃）が８μｍである。このことから、実施例３の撮像レンズは、条件式（６）の値が下限に近い場合であっても、温度変化時のピント位置のずれを実使用上問題がない程度に抑制できていることがわかる。
【０１２６】
図８は、実施例３にかかる撮像レンズの諸収差図である。球面収差図において、縦軸はＦナンバー（図中、Ｆｎｏで示す）を表し、各線は４５０ｎｍ、５５０ｎｍ、６５０ｎｍに相当する波長の特性を示している。倍率色収差図において、縦軸は像高（図中、Ｙで示す）を表し、各線は４５０ｎｍ、５５０ｎｍ、６５０ｎｍに相当する波長の特性を示している。
【０１２７】
次に、実施例３にかかる撮像レンズを撮像装置に適用した例を示す。図９は、実施例３にかかる撮像レンズを備えた撮像装置の一適用例を示す図である。図９に示すように、撮像装置３００は、撮像レンズ３０と、固体撮像素子１０１と、を備えて構成される。撮像レンズ３０は、図７に示したものである。
【０１２８】
撮像レンズ３０と固体撮像素子１０１とを備えた撮像装置３００において、図７に示した像面ＩＭＧが固体撮像素子１０１の撮像面１０２に相当する。固体撮像素子１０１としては、たとえば、ＣＣＤ（Ｃｈａｒｇｅ Ｃｏｕｐｌｅｄ Ｄｅｖｉｃｅ）やＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）センサなどの光電変換素子を用いることができる。
【０１２９】
撮像装置３００において、撮像レンズ３０の物体側から入射した光が最終的に固体撮像素子１０１の撮像面１０２に結像する。そして、固体撮像素子１０１が受像した光を光電変換して電気信号として出力する。この出力信号が図示しない信号処理回路によって演算処理され、白線認識等の所望のセンシング処理を施されたり、被写体の像に対応したデジタル画像が生成される。デジタル画像は、たとえばＨＤＤ（Ｈａｒｄ Ｄｉｓｋ Ｄｅｖｉｃｅ）やメモリカード、光ディスク、磁気テープなどの記録媒体に記録することが可能である。
【実施例４】
【０１３０】
図１０は、実施例４にかかる撮像レンズの構成を示す光軸に沿う断面図である。この撮像レンズは、図示しない物体側から順に、負の屈折力を有する第１レンズＧ41と、正の屈折力を有する第２レンズＧ42と、負の屈折力を有する第３レンズＧ43と、正の屈折力を有する第４レンズＧ44と、正の屈折力を有する第５レンズＧ45と、が配置されて構成される。
【０１３１】
第１レンズＧ41は、物体側に凹面を向けて配置されている。第２レンズＧ42の両面には、非球面が形成されている。第３レンズＧ43は、物体側に凹面を向けて配置されている。第４レンズＧ44は、像面ＩＭＧ側に凸面を向けて配置されている。第３レンズＧ43と第４レンズＧ44とは、空気間隔を隔てて配置されている。第５レンズＧ45の両面には、非球面が形成されている。
【０１３２】
以下、実施例４にかかる撮像レンズに関する各種数値データを示す。
【０１３３】
（面データ）
ｒ1＝-11.42
ｄ1＝0.60    ｎｄ1＝1.620    νｄ1＝60.3    dndt1＝2.5
ｒ2＝-117.92
ｄ2＝4.28
ｒ3＝23.25（非球面）
ｄ3＝4.65    ｎｄ2＝1.882    νｄ2＝37.2    dndt2＝7.0
ｒ4＝-13.17（非球面）
ｄ4＝2.74
ｒ5＝-3.06
ｄ5＝0.51    ｎｄ3＝1.922    νｄ3＝20.9    dndt3＝1.1
ｒ6＝-81.80
ｄ6＝0.05
ｒ7＝-69.53
ｄ7＝1.72    ｎｄ4＝1.954    νｄ4＝32.3    dndt4＝3.4
ｒ8＝-4.41
ｄ8＝0.08
ｒ9＝7.98（非球面）
ｄ9＝2.01    ｎｄ5＝1.592    νｄ5＝67.0    dndt5＝-0.6
ｒ10＝-31.59（非球面）
ｄ10＝6.62
ｒ11＝∞（像面）
【０１３４】
円錐係数（ε）および非球面係数（Ａ，Ｂ，Ｃ，Ｄ，Ｅ，Ｆ，Ｇ，Ｉ，Ｊ，Ｋ，Ｌ，Ｍ）
（第３面）
ε＝0.127，
Ａ＝0，Ｂ＝0，Ｃ＝-1.782×10-5，Ｄ＝0，Ｅ＝6.829×10-6，
Ｆ＝0，Ｇ＝-1.158×10-6，Ｉ＝0，Ｊ＝0，Ｋ＝0，Ｌ＝0，Ｍ＝0
（第４面）
ε＝-0.709，
Ａ＝0，Ｂ＝0，Ｃ＝2.458×10-5，Ｄ＝0，Ｅ＝-4.024×10-5，
Ｆ＝0，Ｇ＝3.676×10-7，Ｉ＝0，Ｊ＝0，Ｋ＝0，Ｌ＝0，Ｍ＝0
（第９面）
ε＝2.196，
Ａ＝0，Ｂ＝-1.526×10-3，Ｃ＝3.954×10-3，Ｄ＝-3.207×10-3，Ｅ＝1.706×10-3，
Ｆ＝-4.765×10-4，Ｇ＝6.410×10-5，Ｉ＝-5.466×10-7，Ｊ＝-7.314×10-7，
Ｋ＝-3.411×10-8，Ｌ＝1.239×10-8，Ｍ＝9.517×10-9
（第１０面）
ε＝-16.064，
Ａ＝0，Ｂ＝-6.240×10-4，Ｃ＝3.257×10-3，Ｄ＝-1.694×10-3，Ｅ＝9.428×10-4，
Ｆ＝-2.339×10-4，Ｇ＝2.332×10-5，Ｉ＝8.845×10-7，Ｊ＝-4.811×10-7，
Ｋ＝4.589×10-8，Ｌ＝3.428×10-8，Ｍ＝1.344×10-8
【０１３５】
（各種データ）
撮像レンズ全系の焦点距離（ｆ）    6.0175
Ｆナンバー                             1.4
像高                              3.0
第１レンズＧ41の焦点距離（ｆ１）-20.353
第２レンズＧ42の焦点距離（ｆ２） 10.083
第３レンズＧ43の焦点距離（ｆ３） -3.422
第４レンズＧ44の焦点距離（ｆ４）  4.842
第５レンズＧ45の焦点距離（ｆ５） 10.932
高温時温度                        135℃
低温時温度                        -40℃
【０１３６】
（条件式（１）に関する数値）
ＤＮＤＴ１（第１レンズＧ41を形成する硝材の温度変化１℃当たりのｄ線屈折率変化の平均値）＝2.5
ＤＮＤＴ２（第２レンズＧ42を形成する硝材の温度変化１℃当たりのｄ線屈折率変化の平均値）＝7.0
（ＤＮＤＴ１）／（ＤＮＤＴ２）＝0.350
【０１３７】
（条件式（２）に関する数値）
ｆ２／ｆ１＝-0.495
【０１３８】
（条件式（３）に関する数値）
ｆ／ｆ１＝-0.296
【０１３９】
（条件式（４）に関する数値）
ＤＮＤＴ３（第３レンズＧ43を形成する硝材の温度変化１℃当たりのｄ線屈折率変化の平均値）＝1.1
（ＤＮＤＴ３）／ｆ３＝-0.307
【０１４０】
（条件式（５）に関する数値）
ＤＮＤＴ５（第５レンズＧ45を形成する硝材の温度変化１℃当たりのｄ線屈折率変化の平均値）＝-0.6
（ＤＮＤＴ５）／ｆ５＝-0.055
【０１４１】
（条件式（６）に関する数値）
（ｆ３×ＤＮＤＴ５）／（ｆ５×ＤＮＤＴ３）＝0.179
【０１４２】
（条件式（７）に関する数値）
ｆ５／ｆ４＝2.257
【０１４３】
（条件式（９）に関する数値）
Ｒ３２（第３レンズＧ43の像側面の曲率半径）＝-81.80
Ｒ４１（第４レンズＧ44の物体側面の曲率半径）＝-69.53
Ｒ３２／Ｒ４１＝1.176
【０１４４】
（条件式（１０）に関する数値）
Ｄ３４（第３レンズＧ43と第４レンズＧ44との間の空気間隔）＝0.05
Ｄ３（第３レンズＧ43の中心肉厚）＝0.51
Ｄ３４／Ｄ３＝0.098
【０１４５】
撮像レンズを収容するレンズ鏡筒の線膨張係数を一般的なアルミニウムと同じ２３×１０-6とする場合、実施例３の撮像レンズにおける常温時（２０℃）からのピント位置変動は、低温時（−４０℃）が１０μｍ、高温時（１３５℃）が−１７μｍである。このことから、実施例３の撮像レンズは、条件式（６）の値が下限に近く、条件式（７）の値が上限に近い場合であっても、温度変化時のピント位置のずれを実使用上問題がない程度に抑制できていることがわかる。
【０１４６】
図１１は、実施例４にかかる撮像レンズの諸収差図である。球面収差図において、縦軸はＦナンバー（図中、Ｆｎｏで示す）を表し、各線は４５０ｎｍ、５５０ｎｍ、６５０ｎｍに相当する波長の特性を示している。倍率色収差図において、縦軸は像高（図中、Ｙで示す）を表し、各線は４５０ｎｍ、５５０ｎｍ、６５０ｎｍに相当する波長の特性を示している。
【０１４７】
次に、実施例４にかかる撮像レンズを撮像装置に適用した例を示す。図１２は、実施例４にかかる撮像レンズを備えた撮像装置の一適用例を示す図である。図１２に示すように、撮像装置４００は、撮像レンズ４０と、固体撮像素子１０１と、を備えて構成される。撮像レンズ４０は、図１０に示したものである。
【０１４８】
撮像レンズ４０と固体撮像素子１０１とを備えた撮像装置４００において、図１０に示した像面ＩＭＧが固体撮像素子１０１の撮像面１０２に相当する。固体撮像素子１０１としては、たとえば、ＣＣＤ（Ｃｈａｒｇｅ Ｃｏｕｐｌｅｄ Ｄｅｖｉｃｅ）やＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）センサなどの光電変換素子を用いることができる。
【０１４９】
撮像装置４００において、撮像レンズ４０の物体側から入射した光が最終的に固体撮像素子１０１の撮像面１０２に結像する。そして、固体撮像素子１０１が受像した光を光電変換して電気信号として出力する。この出力信号が図示しない信号処理回路によって演算処理され、白線認識等の所望のセンシング処理を施されたり、被写体の像に対応したデジタル画像が生成される。デジタル画像は、たとえばＨＤＤ（Ｈａｒｄ Ｄｉｓｋ Ｄｅｖｉｃｅ）やメモリカード、光ディスク、磁気テープなどの記録媒体に記録することが可能である。
【実施例５】
【０１５０】
図１３は、実施例５にかかる撮像レンズの構成を示す光軸に沿う断面図である。この撮像レンズは、図示しない物体側から順に、負の屈折力を有する第１レンズＧ51と、正の屈折力を有する第２レンズＧ52と、負の屈折力を有する第３レンズＧ53と、正の屈折力を有する第４レンズＧ54と、正の屈折力を有する第５レンズＧ55と、が配置されて構成される。
【０１５１】
第１レンズＧ51は、両凹レンズで構成されている。第３レンズＧ53は、物体側に凹面を向けて配置されている。第４レンズＧ54は、像面ＩＭＧ側に凸面を向けて配置されている。また、第４レンズＧ54の両面には、非球面が形成されている。第３レンズＧ53と第４レンズＧ54とは、空気間隔を隔てて配置されている。
【０１５２】
以下、実施例５にかかる撮像レンズに関する各種数値データを示す。
【０１５３】
（面データ）
ｒ1＝-14.19
ｄ1＝0.60    ｎｄ1＝1.569    νｄ1＝56.0    dndt1＝7.1
ｒ2＝8.48
ｄ2＝1.95
ｒ3＝100.00
ｄ3＝4.78    ｎｄ2＝2.000    νｄ2＝25.0    dndt2＝3.1
ｒ4＝-13.74
ｄ4＝4.12
ｒ5＝-3.88
ｄ5＝0.61    ｎｄ3＝1.923    νｄ3＝20.9    dndt3＝1.1
ｒ6＝-43.53
ｄ6＝0.10
ｒ7＝-1000.00（非球面）
ｄ7＝1.82    ｎｄ4＝1.882    νｄ4＝37.2    dndt4＝7.0
ｒ8＝-5.14（非球面）
ｄ8＝0.07
ｒ9＝15.50
ｄ9＝2.14    ｎｄ5＝1.497    νｄ5＝81.6    dndt5＝-6.1
ｒ10＝-7.48
ｄ10＝8.94
ｒ11＝∞（像面）
【０１５４】
円錐係数（ε）および非球面係数（Ａ，Ｂ，Ｃ，Ｄ，Ｅ，Ｆ，Ｇ，Ｉ，Ｊ，Ｋ，Ｌ，Ｍ）
（第７面）
ε＝-999.000，
Ａ＝0，Ｂ＝0，Ｃ＝-1.320×10-3，Ｄ＝0，Ｅ＝3.278×10-5，
Ｆ＝0，Ｇ＝-1.031×10-6，Ｉ＝0，Ｊ＝-1.930×10-7，
Ｋ＝0，Ｌ＝9.995×10-9，Ｍ＝0
（第８面）
ε＝0.928，
Ａ＝0，Ｂ＝0，Ｃ＝3.822×10-5，Ｄ＝0，Ｅ＝-8.584×10-6，
Ｆ＝0，Ｇ＝6.826×10-7，Ｉ＝0，Ｊ＝-8.068×10-8，
Ｋ＝0，Ｌ＝-1.771×10-9，Ｍ＝0
【０１５５】
（各種データ）
撮像レンズ全系の焦点距離（ｆ）    5.1972
Ｆナンバー                             1.4
像高                              3.0
第１レンズＧ51の焦点距離（ｆ１） -9.207
第２レンズＧ52の焦点距離（ｆ２） 12.227
第３レンズＧ53の焦点距離（ｆ３） -4.606
第４レンズＧ54の焦点距離（ｆ４）  5.820
第５レンズＧ55の焦点距離（ｆ５） 10.452
高温時温度                        135℃
低温時温度                        -40℃
【０１５６】
（条件式（１）に関する数値）
ＤＮＤＴ１（第１レンズＧ51を形成する硝材の温度変化１℃当たりのｄ線屈折率変化の平均値）＝7.1
ＤＮＤＴ２（第２レンズＧ52を形成する硝材の温度変化１℃当たりのｄ線屈折率変化の平均値）＝3.1
（ＤＮＤＴ１）／（ＤＮＤＴ２）＝2.274
【０１５７】
（条件式（２）に関する数値）
ｆ２／ｆ１＝-1.328
【０１５８】
（条件式（３）に関する数値）
ｆ／ｆ１＝-0.564
【０１５９】
（条件式（４）に関する数値）
ＤＮＤＴ３（第３レンズＧ53を形成する硝材の温度変化１℃当たりのｄ線屈折率変化の平均値）＝1.1
（ＤＮＤＴ３）／ｆ３＝-0.228
【０１６０】
（条件式（５）に関する数値）
ＤＮＤＴ５（第５レンズＧ55を形成する硝材の温度変化１℃当たりのｄ線屈折率変化の平均値）＝-6.1
（ＤＮＤＴ５）／ｆ５＝-0.584
【０１６１】
（条件式（６）に関する数値）
（ｆ３×ＤＮＤＴ５）／（ｆ５×ＤＮＤＴ３）＝2.560
【０１６２】
（条件式（７）に関する数値）
ｆ５／ｆ４＝1.796
【０１６３】
（条件式（８）に関する数値）
Ｒ４１Ｂ（第４レンズＧ54の物体側面のベストフィット曲率半径）＝-36.00
Ｒ４２Ｂ（第４レンズＧ54の像面ＩＭＧ側面のベストフィット曲率半径）＝-5.16
｜Ｒ４２Ｂ／Ｒ４１Ｂ｜＝0.143
【０１６４】
（条件式（９）に関する数値）
Ｒ３２（第３レンズＧ53の像面ＩＭＧ側面の曲率半径）＝-43.53
Ｒ４１（第４レンズＧ54の物体側面の曲率半径）＝-1000.00
Ｒ３２／Ｒ４１＝0.044
【０１６５】
（条件式（１０）に関する数値）
Ｄ３４（第３レンズＧ53と第４レンズＧ44との間の空気間隔）＝0.10
Ｄ３（第３レンズＧ53の中心肉厚）＝0.61
Ｄ３４／Ｄ３＝0.164
【０１６６】
撮像レンズを収容するレンズ鏡筒の線膨張係数を一般的なアルミニウムと同じ２３×１０-6とする場合、実施例５の撮像レンズにおける常温時（２０℃）からのピント位置変動は、低温時（−４０℃）が１ｕｍ、高温時（１３５℃）が０ｕｍである。このことから、実施例５の撮像レンズにおいて、温度変化時のピント位置のずれは最小限に抑えられていることがわかる。
【０１６７】
図１４は、実施例５にかかる撮像レンズの諸収差図である。球面収差図において、縦軸はＦナンバー（図中、Ｆｎｏで示す）を表し、各線は４５０ｎｍ、５５０ｎｍ、６５０ｎｍに相当する波長の特性を示している。倍率色収差図において、縦軸は像高（図中、Ｙで示す）を表し、各線は４５０ｎｍ、５５０ｎｍ、６５０ｎｍに相当する波長の特性を示している。
【０１６８】
次に、実施例５にかかる撮像レンズを撮像装置に適用した例を示す。図１５は、実施例４にかかる撮像レンズを備えた撮像装置の一適用例を示す図である。図１５に示すように、撮像装置５００は、撮像レンズ５０と、固体撮像素子１０１と、を備えて構成される。撮像レンズ５０は、図１３に示したものである。
【０１６９】
撮像レンズ５０と固体撮像素子１０１とを備えた撮像装置５００において、図１３に示した像面ＩＭＧが固体撮像素子１０１の撮像面１０２に相当する。固体撮像素子１０１としては、たとえば、ＣＣＤ（Ｃｈａｒｇｅ Ｃｏｕｐｌｅｄ Ｄｅｖｉｃｅ）やＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）センサなどの光電変換素子を用いることができる。
【０１７０】
撮像装置５００において、撮像レンズ５０の物体側から入射した光が最終的に固体撮像素子１０１の撮像面１０２に結像する。そして、固体撮像素子１０１が受像した光を光電変換して電気信号として出力する。この出力信号が図示しない信号処理回路によって演算処理され、白線認識等の所望のセンシング処理を施されたり、被写体の像に対応したデジタル画像が生成される。デジタル画像は、たとえばＨＤＤ（Ｈａｒｄ Ｄｉｓｋ Ｄｅｖｉｃｅ）やメモリカード、光ディスク、磁気テープなどの記録媒体に記録することが可能である。
【０１７１】
なお、上記各実施例中の数値データにおいて、ｒ1，ｒ2，・・・・は各レンズの曲率半径、ｄ1，ｄ2，・・・・は各レンズの中心肉厚またはそれらの面の空気間隔、ｎｄ1，ｎｄ2，・・・・は各レンズのｄ線（λ＝５８７．５６ｎｍ）に対する屈折率、νｄ1，νｄ2，・・・・は各レンズのｄ線に対するアッベ数、dndt1，dndt2，・・・は各レンズを形成する硝材の温度変化１℃当たりのｄ線屈折率変化の平均値を示している。そして、長さの単位はすべて「ｍｍ」、角度の単位はすべて「°」である。
【０１７２】
また、上記各実施例において、光軸面頂からの非球面形状サグ量（像面の方向を正とする）Ｘは、光軸からレンズ外径方向への距離をＨ、近軸曲率半径をＲ、円錐係数をε、２次，３次，４次，５次，６次，７次，８次，９次，１０次，１１次，１２次，１３次の非球面係数をそれぞれＡ，Ｂ，Ｃ，Ｄ，Ｅ，Ｆ，Ｇ，Ｉ，Ｊ，Ｋ，Ｌ，Ｍとするとき、以下に示す式により表される。
【０１７３】
【数１】
2017116796.tif 000003
【０１７４】
以上説明したように、上記各実施例の撮像レンズは、上記条件式を満足することで低温（−４０℃程度）から高温（１３５℃程度）までの幅広い温度領域において、温度変化によって生じる各レンズの相対屈折率変化を適切に制御しピント位置のずれを抑制して、良好な光学性能を確保することが可能な、小型で明るいレンズになる。したがって、上記各実施例の撮像レンズは、夏季高温になりがちな車内に備えられる車載用カメラや、環境温度の変化が著しい屋外に設置される監視用カメラ等にも問題なく用いることができる。
【０１７５】
また、上記各実施例の撮像レンズは、適宜非球面が形成されたレンズを配置することで、少ないレンズ枚数で収差補正能力をより向上させることが可能になっている。
【０１７６】
なお、上記各実施例の撮像レンズは、接合レンズを用いていないため、周辺温度が高温になっても、接合レンズの弱点である接合が剥がれ、十分な光学性能が確保できないといった不都合はない。
【０１７７】
さらに、上述したように、上記各実施例の撮像レンズを備えて撮像装置を構成すれば、特に周辺温度の変化が著しい条件下での使用が可能な撮像装置を実現することができる。
【産業上の利用可能性】
【０１７８】
以上のように、本発明にかかる撮像レンズは、低温から高温までの幅広い温度領域において高い光学性能が要求される撮像装置に有用であり、特に温度の変化が著しい条件下で使用される車載用カメラや監視用カメラに適している。
【符号の説明】
【０１７９】
Ｇ11，Ｇ21，Ｇ31，Ｇ41，Ｇ51  第１レンズ
Ｇ12，Ｇ22，Ｇ32，Ｇ42，Ｇ52  第２レンズ
Ｇ13，Ｇ23，Ｇ33，Ｇ43，Ｇ53  第３レンズ
Ｇ14，Ｇ24，Ｇ34，Ｇ44，Ｇ54  第４レンズ
Ｇ15，Ｇ25，Ｇ35，Ｇ45，Ｇ55  第５レンズ
ＩＭＧ  像面
１０，２０，３０，４０，５０  撮像レンズ
１００，２００，３００，４００，５００  撮像装置
１０１  固体撮像素子
１０２  撮像面
【図１】
2017116796.tif 000004
【図２】
2017116796.tif 000005
【図３】
2017116796.tif 000006
【図４】
2017116796.tif 000007
【図５】
2017116796.tif 000008
【図６】
2017116796.tif 000009
【図７】
2017116796.tif 000010
【図８】
2017116796.tif 000011
【図９】
2017116796.tif 000012
【図１０】
2017116796.tif 000013
【図１１】
2017116796.tif 000014
【図１２】
2017116796.tif 000015
【図１３】
2017116796.tif 000016
【図１４】
2017116796.tif 000017
【図１５】
2017116796.tif 000018